(57)【要約】【課題】適切な係合作業が可能な係合部構造を提供することを目的とするものである。【解決手段】蓋体１３に、被係合部と係合する係合部３１を設け、係合部３１は、蓋体１３の縁部中央より延出した延出片３２を備えてなる。延出片３２の内側面３３に係止爪３４を一体形成し、係止爪３４は内側に突出する。延出片３２の外側面４１に、横長の長方形状の溝部４２を凹設し、溝部４２の外周部にロ字状の枠部４３を形成する。延出片３２の内側面３３の基端部に没入した凹部４４を形成し、当該延出片３２の基端部に、一般部より薄肉の薄肉部４５を形成する。【選択図】図３
2015071432.tif 000002
【特許請求の範囲】
【請求項１】
ヒンジ部を介して連結された容器体又は蓋体の一方に設けられた係合部と、前記容器体又は蓋体の他方に設けられ前記係合部と係合する被係合部とからなり、前記係合部が、前記容器体又は前記蓋体の一方より延出した延出片と、該延出片の内側面に設けられた係止爪とからなる係合部構造において、
前記延出片の外側面に溝部を凹設したことを特徴とする係合部構造。
【請求項２】
前記延出片の前記内側面の基端部に凹部を設け、当該基端部に薄肉部を形成したことを特徴とする請求項１記載の係合部構造。
【請求項３】
前記容器体又は前記蓋体の他方に、係合時に前記延出片に設けられた前記係止爪が乗り越える段差面及び該段差面を通過した前記係止爪が係合する係合面を備えた段差部を設けて前記被係合部を構成する一方、
前記係止爪が前記段差面に乗り上げる際に当該係止爪を前記段差面に案内する傾斜部を前記係止爪の通過経路上に設けたことを特徴とする請求項１又は２記載の係合部構造。
【請求項４】
前記傾斜部を、前記段差面及び前記係合面に対して交差方向に延在する板状に形成したことを特徴とする請求項３記載の係合部構造。
【請求項５】
ヒンジ部を介して連結された容器体又は蓋体の一方に設けられた係合部と、前記容器体又は蓋体の他方に設けられ前記係合部と係合する被係合部とからなり、前記係合部が、前記容器体又は前記蓋体の一方より延出した延出片と、該延出片の内側面に設けられた係止爪とを備えて構成される一方、
前記容器体又は前記蓋体の他方に、係合時に前記延出片に設けられた前記係止爪が乗り越える段差面及び該段差面を通過した前記係止爪が係合する係合面を備えた段差部を設けて前記被係合部を構成した係合部構造において、
前記係止爪が前記段差面に乗り上げる際に当該係止爪を前記段差面に案内する傾斜部を前記係止爪の通過経路上に設けたことを特徴とする係合部構造。
【請求項６】
前記傾斜部を、前記段差面及び前記係合面に対して交差方向に延在する板状に形成したことを特徴とする請求項５記載の係合部構造。
【発明の詳細な説明】
【技術分野】
【０００１】
本発明は、蓋体の閉鎖状態を維持する為の係合部構成に関する。
【背景技術】
【０００２】
従来、容器体にヒンジ部を介して蓋体が設けられた容器が知られている。（例えば、特許文献１参照。）。
【０００３】
前記蓋体の自由端部には、フックが設けられており、該フックは、前記蓋体の自由端部より延出した延出片と、該延出片の先端部に設けられた係止爪とによって構成されている。
【０００４】
このフックに対応する前記容器体の箇所には、係止突起が設けられており、前記蓋体を閉鎖した際に、前記フックの前記係止爪が前記係止突起に係合することで、当該蓋体の不用意な解放が防止されるように構成されている。
【先行技術文献】
【特許文献】
【０００５】
【特許文献１】実用新案登録第２５５６９８０号公報
【発明の概要】
【発明が解決しようとする課題】
【０００６】
しかしながら、このような容器にあっては、樹脂成形時にフックが傾くことがあった。
【０００７】
このとき、フックが係止突起から離れる方向に傾斜した際には、係合状態が悪化する一方、前記係止突起側に傾斜した際には、係合時に力を要するといった問題があった。
【０００８】
本発明は、このような従来の課題に鑑みてなされたものであり、適切な係合作業が可能な係合部構造を提供することを目的とするものである。
【課題を解決するための手段】
【０００９】
前記課題を解決するために本発明の請求項１の係合部構造にあっては、ヒンジ部を介して連結された容器体又は蓋体の一方に設けられた係合部と、前記容器体又は蓋体の他方に設けられ前記係合部と係合する被係合部とからなり、前記係合部が、前記容器体又は前記蓋体の一方より延出した延出片と、該延出片の内側面に設けられた係止爪とからなる係合部構造において、前記延出片の外側面に溝部を凹設した。
【００１０】
すなわち、ヒンジ部を介して連結された容器体及び蓋体を樹脂成形する際には、金型に設けられたゲートから固化前の樹脂を流し込む。
【００１１】
ここで、前記蓋体に係合部が設けられているとともに、前記容器体側にゲートが設けられた場合、該容器体側から供給された樹脂は、ヒンジ部を介して前記蓋体に供給された後、該蓋体に設けられた係合部に充填される。このとき、この係合部は、ゲートから遠い位置にあり、樹脂が供給され難く、この係合部を構成する延出片においては、外側面へ樹脂が行き渡りにくくなる。すると、当該延出片が固化する際には、樹脂の充填が不十分となる、係止爪と逆側である外側に倒れが生じてしまい、当該延出片を備えた係合部は、被係合部との係合状態が悪化し、不用意な口開きが生ずる恐れがある。
【００１２】
そこで、本発明では、前記延出片の外側面に溝部を凹設することによって、この溝部分の樹脂が当該延出片に十分行き渡るので、樹脂充填不足による固化時の傾きが防止される。
【００１３】
また、請求項２の係合部構造においては、前記延出片の前記内側面の基端部に凹部を設け、当該基端部に薄肉部を形成した。
【００１４】
すなわち、前記延出片の前記内側面の基端部には凹部が設けられており、当該基端部には、薄肉部が形成されている。
【００１５】
このため、樹脂が固化する際に前記延出片は、係止爪が設けられた内側に傾くこととなり、前記延出片が外側に傾く場合と比較して、被係合部との係合状態の悪化が防止される。
【００１６】
さらに、請求項３の係合部構造では、前記容器体又は前記蓋体の他方に、係合時に前記延出片に設けられた前記係止爪が乗り越える段差面及び該段差面を通過した前記係止爪が係合する係合面を備えた段差部を設けて前記被係合部を構成する一方、前記係止爪が前記段差面に乗り上げる際に当該係止爪を前記段差面に案内する傾斜部を前記係止爪の通過経路上に設けた。
【００１７】
すなわち、前記容器体又は前記蓋体の他方には、係合時に前記延出片に設けられた前記係止爪が乗り越える段差面及び該段差面を通過した前記係止爪が係合する係合面を備えた段差部が設けられており、これにより前記被係合部が構成されている。
【００１８】
このとき、前記係止爪の通過経路には、該係止爪が前記段差面に乗り上げる際に当該係止爪を前記段差面に案内する傾斜部が設けられている。
【００１９】
このため、成形された前記延出片が、前記係止爪が設けられた内側に大きく傾いた場合であっても、前記係止爪が、その通過経路上に設けられた傾斜部上を摺動することで、前記段差面に案内されるので、大きな力を加えなくても係合作業が行われる。
【００２０】
加えて、請求項４の係合部構造にあっては、前記傾斜部を、前記段差面及び前記係合面に対して交差方向に延在する板状に形成した。
【００２１】
すなわち、前記傾斜部は、前記段差面及び前記係合面に対して交差方向に延在する板状に形成されている。
【００２２】
このため、前記傾斜部を、前記段差面より延出した傾斜面で構成した場合と比較して、使用する樹脂量が削減される。
【００２３】
そして、本発明の請求項５の係合部構造にあっては、ヒンジ部を介して連結された容器体又は蓋体の一方に設けられた係合部と、前記容器体又は蓋体の他方に設けられ前記係合部と係合する被係合部とからなり、前記係合部が、前記容器体又は前記蓋体の一方より延出した延出片と、該延出片の内側面に設けられた係止爪とを備えて構成される一方、前記容器体又は前記蓋体の他方に、係合時に前記延出片に設けられた前記係止爪が乗り越える段差面及び該段差面を通過した前記係止爪が係合する係合面を備えた段差部を設けて前記被係合部を構成した係合部構造において、前記係止爪が前記段差面に乗り上げる際に当該係止爪を前記段差面に案内する傾斜部を前記係止爪の通過経路上に設けた。
【００２４】
すなわち、前記容器体又は前記蓋体の他方には、係合時に前記延出片に設けられた前記係止爪が乗り越える段差面及び該段差面を通過した前記係止爪が係合する係合面を備えた段差部が設けられており、これにより前記被係合部が構成されている。
【００２５】
このとき、前記係止爪の通過経路には、該係止爪が前記段差面に乗り上げる際に当該係止爪を前記段差面に案内する傾斜部が設けられている。
【００２６】
このため、成形された前記延出片が、前記係止爪が設けられた内側に大きく傾いた場合であっても、前記係止爪が、その通過経路上に設けられた傾斜部上を摺動することで、前記段差面に案内されるので、大きな力を加えなくても係合作業が行われる。
【００２７】
また、請求項６の係合部構造においては、前記傾斜部を、前記段差面及び前記係合面に対して交差方向に延在する板状に形成した。
【００２８】
すなわち、前記傾斜部は、前記段差面及び前記係合面に対して交差方向に延在する板状に形成されている。
【００２９】
このため、前記傾斜部を、前記段差面より延出した傾斜面で構成した場合と比較して、使用する樹脂量が削減される。
【発明の効果】
【００３０】
以上説明したように本発明の請求項１の係合部構造にあっては、延出片の外側面に溝部を凹設したので、この溝部分の樹脂を当該延出片に十分行き渡らせることができる。
【００３１】
これにより、前記延出片への樹脂の充填不足による固化時の傾きを防止することができる。
【００３２】
このため、樹脂成形時に係合部が傾いてしまう従来のように、当該係合部が被係合部から離れる方向に傾き係合状態が悪化したり、当該係合部が前記被係合部側に傾き係合に力を要するといった問題を解消することができる。
【００３３】
したがって、適切な係合作業が可能となる。
【００３４】
また、請求項２の係合部構造においては、延出片の内側面の基端部に凹部が設けられており、当該基端部には、薄肉部が形成されている。
【００３５】
このため、樹脂が固化する際には、前記延出片を係止爪が設けられた内側に傾かせることができる。このため、前記延出片が外側に傾いてしまう場合と比較して、被係合部との係合状態の悪化を防止することができ、不用意な口開きを確実に防止することができる。
【００３６】
さらに、請求項３の係合部構造では、前記容器体又は前記蓋体の他方には、係合時に前記延出片に設けられた前記係止爪が乗り越える段差面及び該段差面を通過した前記係止爪が係合する係合面を備えた段差部が設けられており、これにより前記被係合部が構成されている。また、前記係止爪の通過経路には、該係止爪が前記段差面に乗り上げる際に当該係止爪を前記段差面に案内する傾斜部が設けられている。
【００３７】
このため、成形された前記延出片が、前記係止爪が設けられた内側に大きく傾いた場合であっても、前記係止爪が、その通過経路上に設けられた前記傾斜部上を摺動することで、前記段差面に案内することができる。
【００３８】
したがって、大きな力を加えなくても係合作業を行うことができる。
【００３９】
加えて、請求項４の係合部構造にあっては、前記傾斜部は、前記段差面及び前記係合面に対して交差方向に延在する板状に形成されている。
【００４０】
このため、前記傾斜部を、前記段差面より延出した傾斜面で構成した場合と比較して、使用する樹脂量を削減することができる。
【００４１】
そして、本発明の請求項５の係合部構造にあっては、前記容器体又は前記蓋体の他方には、係合時に前記延出片に設けられた前記係止爪が乗り越える段差面及び該段差面を通過した前記係止爪が係合する係合面を備えた段差部が設けられており、これにより前記被係合部が構成されている。このとき、前記係止爪の通過経路には、該係止爪が前記段差面に乗り上げる際に当該係止爪を前記段差面に案内する傾斜部が設けられている。
【００４２】
このため、成形された前記延出片が、前記係止爪が設けられた内側に大きく傾いた場合であっても、前記係止爪が、その通過経路上に設けられた傾斜部上を摺動することで、前記段差面に案内することができる。
【００４３】
したがって、大きな力を加えなくても係合作業を行うことができる。
【００４４】
また、請求項６の係合部構造において、前記傾斜部は、前記段差面及び前記係合面に対して交差方向に延在する板状に形成されている。
【００４５】
このため、前記傾斜部を、前記段差面より延出した傾斜面で構成した場合と比較して、使用する樹脂量を削減することができる。
【図面の簡単な説明】
【００４６】
【図１】本発明の一実施の形態を示す図である。
【図２】同実施の形態の断面図である。
【図３】（ａ）は同実施の形態の係合部を示す説明図であり、（ｂ）は（ａ）のＡ−Ａ断面の相当する拡大図である。
【図４】同実施の形態の被係合部の断面を示す説明図である。
【発明を実施するための形態】
【００４７】
以下、本発明の一実施の形態を図に従って説明する。
【００４８】
図１及び図２は、本実施の形態にかかる係合部構造を備えたケーシング１を示す図であり、該ケーシング１は、合成樹脂によりインジェクション成形されている。
【００４９】
このケーシング１は、揮散性薬剤、たとえば芳香剤などの薬剤カートリッジ１１が収容される容器体１２と、該容器体１２と対をなす蓋体１３とを備えている。前記容器体１２と前記蓋体１３との間には、ＰＰヒンジによって薄肉のヒンジ部１４が形成されており、このヒンジ部１４を中心に折曲することで、前記薬剤カートリッジ１１を収容した前記容器体１２を前記蓋体１３で閉鎖できるように構成されている。
【００５０】
前記蓋体１３は、前記ケーシング１を形成した状態で内側へ向けて開口する容器状に形成されており、開口部へ向かうに従って内径寸法が広くなるように構成されている。これにより、型開きができるように構成されており、金型による成形を可能としている。
【００５１】
前記蓋体１３には、図１に示したように、支持リブ２１，２１が二カ所に設けられており、各支持リブ２１，２１で収容された薬剤カートリッジ１１を支持できるように構成されている。また、前記蓋体１３には、波形状の意匠２２と、三つの円形穴２３，・・・とが設けられており、前記薬剤カートリッジ１１に収容された薬剤の残量を前記各円形穴２３，・・・を介して外部に確認できるように構成されている。
【００５２】
この蓋体１３の自由端部には、係合部３１が設けられており、該係合部３１は、係合部構造の一方を形成するように構成されている。この係合部３１は、図３にも示すように、前記蓋体１３の縁部中央より延出した延出片３２を備えてなり、該延出片３２は、図３の（ａ）に示すように、横長の長方形状に形成されている。該延出片３２の内側面３３には、図３の（ｂ）に示すように、係止爪３４が一体形成されており、該係止爪３４は、内側に突出するように設けられている。
【００５３】
前記延出片３２の外側面４１には、横長の長方形状の溝部４２が凹設されており、該溝部４２の外周部には、図３（ａ）に示すように、ロ字状の枠部４３が形成されている。また、前記延出片３２の前記内側面３３の基端部には、没入した凹部４４が形成されており、当該延出片３２の基端部には、一般部より薄肉の薄肉部４５が形成されている。
【００５４】
前記容器体１２も、前記ケーシング１を形成した状態で内側へ向けて開口する容器状に形成されており、開口部へ向かうに従って内径寸法が広くなるように構成されている。これにより、型開きができるように構成されており、金型による成形を可能としている。
【００５５】
この容器体１２の中央部には、図１に示したように、当該ケーシング１を形成する金型から固化前の樹脂が供給されるゲート部５１が設定されており、該ゲート部から供給された樹脂によって当該ケーシングが成形されるように構成されている。
【００５６】
この容器体１２には、図１及び図２に示したように、薄板が円弧状に形成されてなる載置部６１，・・・が四隅に形成されており、収容された前記薬剤カートリッジ１１と前記容器体１２との間に空間を確保し、揮散した薬剤の通流を促進できるように構成されている。
【００５７】
前記容器体１２の左右側部には、長方形状の揮散口６２，６２が設けられており、前記薬剤カートリッジ１１から揮散した芳香成分を外部に放出できるように構成されている。
【００５８】
前記容器体１２の自由端部には、図４に示すように、内側に後退した後退部７１が中央部に形成されており、該後退部７１は、前記容器体１２の底面７２より内側へ向けて起立した第一起立面７３と、該第一起立面７３より自由端部側に延出した延出面７４と、該延出面７４より湾曲面７５を介して起立した第二起立面７６と、該第二起立面７６より自由端部側に延出した係合面７７と、該係合面７７より内側へ向けて起立した段差面７８とによって形成されている。
【００５９】
前記第一起立面７３と前記延出面７４との角部には、図１にも示したように、フック挿入穴８１，８１が両側部に設けられており、前記延出面７４の両脇には、該延出面７４と前記容器体１２の前記底面７２とを連設するとともに、前記ヒンジ部１４側に延出したフックガイド面８２，８２が一体形成されている。
【００６０】
これにより、前記後退部７１には、図４に示したように、フック取付部８５が形成されており、図１に示したように、前記延出面７４に沿って前記フック挿入穴８１，８１より挿入されたフック基端部を前記フックガイド面８２，８２に沿って前記ヒンジ部１４側へ案内できるように構成されている。
【００６１】
また、前記後退部７１には、図４に示したように、前記係合面７７及び前記段差面７８からなる被係合部９１が形成されており、該被係合部９１は、係合部構造の他方を形成するように構成されている。
【００６２】
この被係合部９１は、前記係合部３１と係合する段差部９５で構成されており、当該容器体１２に前記蓋体１３を合わせる際に、前記係合部３１の前記延出片３２に設けられた前記係止爪３４が前記段差面７８を乗り越えた後、前記係合面７７に係合することで不用意な離脱を防止できるように構成されている。
【００６３】
この状態において、前記係合部３１の前記延出片３２は、前記段差面７８上に配置されるように構成されており、前記係合部３１が前記後退部７１内に配置されるように構成されている。
【００６４】
前記係合面７７からは、板状の支持壁１０１が前記第二起立面７６の延長上に延出しており、該支持壁１０１は、前記容器体１２の周縁１０２に連続して設けられている。前記支持壁１０１は、前記容器体１２の前記周縁１０２と同高さに設定されており、前記段差面７８の高さ寸法より高く設定されている。
【００６５】
この支持壁１０１と前記段差面７８との間には、傾斜部を構成する板状の傾斜壁１１１が設けられており、該傾斜壁１１１は、前記段差面７８及び前記係合面７７に対して交差方向に延在するように構成されている。この傾斜壁１１１の上縁は、前記段差面７８の上縁から前記支持壁１０１の上縁に連設されており、前記段差面７８側から前記支持壁１０１側へ向かうに従って高くなるように構成されている。
【００６６】
また、この傾斜壁１１１は、前記係合部３１を前記被係合部９１に係合する際に前記係止爪３４が通過する通過経路上に設けられており、前記係合部３１の前記係止爪３４が前記段差面７８に乗り上げる際に当該係止爪３４を前記段差面７８に案内するように構成されている。
【００６７】
以上の構成にかかる本実施において、ヒンジ部１４を介して連結された容器体１２及び蓋体１３を備えてなるケーシング１をインジェクション成形する際には、金型に設けられたゲートから固化前の樹脂を流し込む。
【００６８】
ここで、本実施の形態では、ケーシング１の裏面を構成する前記容器体１２側に前記ゲート部５１が設定されており、供給された樹脂の跡がケーシング１の表面に表出しないように構成されている。
【００６９】
このためインジェクション成形する際には、前記容器体１２側から供給された樹脂は、薄肉の前記ヒンジ部１４を介して前記蓋体１３に供給された後、該蓋体１３の自由端部に設けられた係合部３１に充填される。このとき、この係合部３１は、前記ゲート部５１から遠い位置にあり、樹脂が供給され難い。このため、この係合部３１を構成する延出片３２においては、外側面４１に樹脂が行き渡りにくくなる。
【００７０】
すると、当該延出片３２が固化する際には、樹脂の充填が不十分となる延出片３２の外側、すなわち係止爪３４と逆側である外側に倒れが生じ易く、当該延出片３２を備えた係合部３２は、前記被係合部９１との係合状態が悪化し、不用意な口開きが生ずる恐れがある。
【００７１】
そこで、本実施の形態では、前記延出片３２の前記外側面４１に溝部４２を凹設した。これにより、この溝部４２を回避した樹脂が当該溝部４２の外周部を介して、当該延出片３２に十分行き渡るので、樹脂充填不足による固化時の傾きを防止することができる。
【００７２】
このため、樹脂成形時に係合部３１が傾いてしまう従来のように、当該係合部３１が被係合部９１から離れる方向に傾き係合状態が悪化したり、当該係合部３１が前記被係合部９１側に傾き係合に力を要するといった問題を解消することができる。
【００７３】
したがって、適切な係合作業が可能となる。
【００７４】
また、前記延出片３２の前記内側面３３の基端部には凹部４４が設けられており、当該基端部には、薄肉部４５が形成されている。
【００７５】
このため、樹脂が固化する際には、前記延出片３２を前記係止爪３４が設けられた内側に傾かせることができる。このため、前記延出片３２が外側に傾いてしまう場合と比較して、被係合部９１との係合状態の悪化を防止することができ、不用意な口開きを確実に防止することができる。
【００７６】
そして、前記容器体１２には、係合時に前記延出片３２に設けられた前記係止爪３４が乗り越える段差面７８及び該段差面７８を通過した前記係止爪３４が係合する係合面７７を備えた段差部９５が設けられており、これにより前記被係合部９１が構成されている。
【００７７】
このとき、前記係止爪３４の通過経路には、該係止爪３４が前記段差面７８に乗り上げる際に当該係止爪３４を前記段差面７８に案内する傾斜部が傾斜壁１１１によって構成されている。
【００７８】
このため、成形された前記延出片３２が、前記係止爪３４が設けられた内側に大きく傾いた場合であっても、前記係止爪３４が、その通過経路上に設けられた前記傾斜壁１１１上を摺動することで、前記段差面７８に案内することができる。
【００７９】
したがって、大きな力を加えなくても係合作業を行うことができる。
【００８０】
そして、前記傾斜壁１１１は、前記段差面７８及び前記係合面７７に対して交差方向に延在する板状に形成されている。
【００８１】
このため、前記係止爪３４を案内する傾斜部が、前記段差面７８より延出した傾斜面で構成された場合と比較して、使用する樹脂量を削減することができ、低コスト化を図ることができる。
【００８２】
なお、本実施の形態では、前記蓋体１３に前記係合部３１を設けるとともに、前記容器体１２に被係合部９１を設けた場合に付いて説明したが、これに限定されるものではなく、前記蓋体１３に被係合部９１を設け、前記容器体１２に係合部３１を設けても良い。
【００８３】
また、本実施の形態では、本願発明に係る係合部３１と被係合部９１との両者をケーシング１に設けた場合に付いて説明したが、これに限定されるものではなく、いずれか一方のみをケーシング１に設けても良い。
【符号の説明】
【００８４】
１    ケーシング
１２    容器体
１３    蓋体
１４    ヒンジ部
３１    係合部
３２    延出片
３３    内側面
３４    係止爪
４１    外側面
４２    溝部
４４    凹部
４５    薄肉部
７７    係合面
７８    段差面
９５    段差部
９１    被係合部
１１１    傾斜壁
【図１】
2015071432.tif 000003
【図２】
2015071432.tif 000004
【図３】
2015071432.tif 000005
【図４】
2015071432.tif 000006